(57)【特許請求の範囲】
【請求項１】
本体と、
画像を表示するための表示面を有し、前記本体に対して前記表示面がオペレータ側を向く位置である第１の回転位置と、前記第１の回転位置以外の前記表示面が客側を向く第２の回転位置との間で回転自在に支持された表示部と、
前記表示部に設けられ、前記表示部に発生した加速度の変化に応じて前記表示部が前記第１の回転位置と該第１の回転位置以外の回転位置との何れにあるのかを検出する加速度センサと、
前記表示部の回転角度が前記第１の回転位置側に近い回転角度である場合の輝度のほうが前記表示部の回転角度が前記第２の回転位置側に近い回転角度である場合の輝度よりも相対的に低くなるように、前記表示面の輝度を前記表示部の回転角度に応じた最適な輝度に制御する制御部と、
を具備することを特徴とする商品販売データ処理装置。
【請求項２】
バッテリをさらに具備し、
前記バッテリを駆動電源として駆動されることを特徴とする請求項１に記載の商品販売データ処理装置。
【発明の詳細な説明】
【技術分野】
【０００１】
本発明の実施形態は、商取引を決済処理するＰＯＳ（Point  Of  Sales）端末等の商品販売データ処理装置に関する。
【背景技術】
【０００２】
従来の商品販売データ処理装置（例えば電子式キャッシュレジスタ，ＰＯＳ端末）において、処理装置の本体とディスプレイとをヒンジを介して回転自在に接続したものが知られている。このような商品販売データ処理装置では、客とオペレータの両者がディスプレイに表示された画面を容易に見ることが可能である。
【先行技術文献】
【特許文献】
【０００３】
【特許文献１】特開２００３−４３９７８号公報
【発明の概要】
【発明が解決しようとする課題】
【０００４】
近年、商品販売データ処理装置において、バッテリ駆動可能なものが知られてきている。このような商品販売データ処理装置は、屋外等の容易に電源を確保できない場所でも使用可能である。しかしながら、商品販売データ処理装置で用いられるバッテリでは、長時間の駆動は困難である。このため、商品販売データ処理装置におけるさらなる省電力化が求められている。
【０００５】
本発明が解決しようとする課題は、本体に対してディスプレイが回転自在に接続された商品販売データ処理装置におけるさらなる省電力化を図ることが可能な商品販売データ処理装置を提供することにある。
【課題を解決するための手段】
【０００６】
一実施形態において、商品販売データ処理装置は、本体と、表示部と、加速度センサと、制御部と、を備える。表示部は、画像を表示するための表示面を有し、本体に対して表示面がオペレータ側を向く位置である第１の回転位置と、第１の回転位置以外の表示面が客側を向く第２の回転位置との間で回転自在に支持される。加速度センサは、表示部に設けられ、表示部に発生した加速度の変化に応じて表示部が第１の回転位置と該第１の回転位置以外の回転位置との何れにあるのかを検出する。制御部は、表示部の回転角度が第１の回転位置側に近い回転角度である場合の輝度のほうが表示部の回転角度が第２の回転位置側に近い回転角度である場合の輝度よりも相対的に低くなるように、表示面の輝度を表示部の回転角度に応じた最適な輝度に制御する。
【図面の簡単な説明】
【０００７】
【図１】本実施形態に係るＰＯＳ端末の外観斜視図である。
【図２】本体に対するディスプレイの回転について説明するための図である。
【図３】本実施形態に係るＰＯＳ端末のシステム構成例を表すブロック図である。
【図４】ＰＯＳ端末のＣＰＵによって制御される登録処理を示すフローチャートである。
【発明を実施するための形態】
【０００８】
以下、例えば店舗や屋外等で利用されるＰＯＳ端末を例にして、商品販売データ処理装置の実施形態を説明する。  
図１は、本実施形態に係るＰＯＳ端末の外観斜視図である。図１に示すように、ＰＯＳ端末１は、後述する各構成部材が収容された本体１０と、本体１０上に配設されたディスプレイ１２と、を有している。本実施形態において、ディスプレイ１２は、本体１０に対して略９０度の範囲で回転自在なように、例えばヒンジを介して本体１０に支持されている。このような構成により、ディスプレイ１２は、図２（ａ）に示す第１の回転位置と、図２（ｂ）に示す第２の回転位置との間で、ヒンジ１０ａを軸として回転される。
【０００９】
ここで、第１の回転位置は、本体１０の上面にディスプレイ１２が接触する位置である。図２（ａ）に示すように、本体１０の上面は、地表に対して傾斜を持つように構成されている。したがって、ディスプレイ１２が第１の回転位置にある状態では、ディスプレイ１２も地表に対して傾斜した状態となる。このようなディスプレイ１２が第１の回転位置にある状態は、ディスプレイ１２の表示面がオペレータ（店員）によって見られることを想定した状態である。このため、ディスプレイ１２が第１の回転位置にある状態では、オペレータ用の画面を表示させるようにしても良い。
【００１０】
一方、第１の回転位置以外の回転位置の一例としての第２の回転位置は、図２（ｂ）に示すように、本体１０の上面からディスプレイ１２が離れる位置である。ディスプレイ１２が第２の回転位置にある状態では、ディスプレイ１２が地表に対して略垂直な状態となる。このようなディスプレイ１２が第２の回転位置にある状態は、ディスプレイ１２の表示面が客によって見られることを想定した状態である。このため、ディスプレイ１２が第２の回転位置にある状態では、客用の画面を表示させるようにしても良い。
【００１１】
ここで、ディスプレイ１２が第１の回転位置と第１の回転位置以外の回転位置の何れにあるのかは、例えばディスプレイ１２に設けられた加速度センサ１９によって検出する。加速度センサ１９は、ディスプレイ１２が、図２（ａ）に示す第１の回転位置にある状態で重力加速度（約９．８ｍ/ｓ２）を示すように構成されている。この状態から、ディスプレイ１２が、図２（ｂ）に示す第２の回転位置になると、加速度センサ１９の出力が重力加速度から変化する。この加速度の変化によって、ディスプレイ１２が第１の回転位置と第１の回転位置以外の回転位置の何れにあるのを検出することが可能である。なお、加速度センサ１９の出力から、本体１０の上面に対するディスプレイ１２の回転角度θを検出することも可能である。
【００１２】
図３は、本実施形態に係るＰＯＳ端末のシステム構成例を表すブロック図である。図３に示すように、本体１０は、電源回路１０１と、充放電回路１０３と、バッテリ１０５と、電源スイッチ１０７と、ＣＰＵ１０９と、クロック発振器１０９ｃと、入出力（Ｉ/Ｏ）コントローラ１１１と、ＲＯＭ（Read Only Memory）１１３と、ＲＡＭ（Random Access Memory）１１５と、通信インターフェイス（Ｉ/Ｆ）１１７と、ＨＤＤ（Hard Disc Drive）１１９と、プリンタ１２１と、を有している。この他、図３に示すように、本体１０には、現金等を収容するためのドロワ１６と、買物客に対して商品販売データや取引に係る合計金額等を表示するための客用ディスプレイ１７と、商品に付与されたバーコード等を読み取るためのスキャナ１８と、がそれぞれ取り付けられている。
【００１３】
また、ディスプレイ１２は、タッチパネル１２−１と、ＬＣＤ（Liquid Crystal Display）１２−２と、加速度センサ１９と、を有している。
【００１４】
電源スイッチ１０７は、ＰＯＳ端末１の主電源スイッチである。電源スイッチ１０７は、ＯＮ状態では充放電回路１０３と電源回路１０１とを接続する。充放電回路１０３には、バッテリ１０５が接続されている。バッテリ１０５は、商用電源を用いずにＰＯＳ端末１を動作させるためのバッテリである。このバッテリ１０５は、例えば屋外等の商用電源の確保が困難な場合に利用する駆動電源として機能する。また、充放電回路１０３は、商用電源にも接続できるように構成されている。充放電回路１０３は、商用電源の使用時に電源スイッチ１０７がＯＮ状態にされたら、商用電源の電力を電源回路１０１に供給する。また、充放電回路１０３は、バッテリ１０５の充電時には商用電源の電圧をバッテリ１０５に印加してバッテリ１０５を充電し、バッテリ１０５の放電時には充電されたバッテリ１０５の放電電力を電源回路１０１に供給する。電源回路１０１は、電源スイッチ１０７がＯＮ状態にされ、充放電回路１０３から電力が供給された際、バッテリ１０５又は商用電源の電圧をＰＯＳ端末１の各部に印加し、本体１０の各部を駆動するための電力を供給する。
【００１５】
ＣＰＵ１０９は、ＰＯＳ端末１の各部を統括的に制御する制御部である。ＣＰＵ１０９は、ＲＯＭ１１３及びＨＤＤ１１９に格納された各種プログラムを読み出してそれを実行することで動作する。クロック発振器１０９ｃは、ＣＰＵ１０９にクロック信号を供給する。クロック信号の供給は、制御信号の送受信に用いられるバスではなく、クロック信号を送信するためのラインＣＬＫを介して行われる。ＣＰＵ１０９は、クロック発振器１０９ｃから供給されたクロック信号に同期して動作する。
【００１６】
ＲＯＭ１１３は、ＣＰＵ１０９が実行する各種プログラムや各種データテーブル等を記憶している。ここで、本実施形態のＲＯＭ１１３は、各種データテーブルの１つとして、ディスプレイ１２の回転角度とディスプレイ１２の表示面の輝度（バックライト１２ｂの輝度）とを対応付けたテーブルを記憶している。ここで、本実施形態では、ディスプレイ１２の回転角度θがオペレータ側に近い回転角度である場合の輝度よりも、ディスプレイ１２の回転角度θが客側に近い回転角度である場合の輝度のほうが相対的に高くなるように、回転角度θと輝度との対応付けがなされている。なお、このテーブルは、後述するＨＤＤ１１９や調光回路１２ｍに記憶させておくようにしても良い。
【００１７】
ＲＡＭ１１５は、ＣＰＵ１０９が各種プログラムを実行する際に一時的にデータやプログラムを記憶するメモリである。ＲＡＭ１１５は、商品の販売記録を示す商品販売データを記憶する取引メモリと、ディスプレイ１２や客用ディスプレイ１７に表示する各種の画面表示データを記憶する表示データメモリとを少なくとも備えている。
【００１８】
Ｉ／Ｏコントローラ１１１は、データバスによってＣＰＵ１０９及び各Ｉ／Ｏ機器に接続されているコントローラである。ＣＰＵ１０９は、Ｉ／Ｏコントローラ１１１を介してＰＯＳ端末１のシステム全体を制御する。通信Ｉ／Ｆ１１７は、ＰＯＳ端末１のホストサーバや管理センタとの無線通信／有線通信を制御するための通信インターフェイスである。
【００１９】
ＨＤＤ１１９は、各種情報を記憶する記憶媒体であり、例えば商品データファイルを記憶している。商品データファイルは、例えば各商品を識別する商品識別コード（以下、商品コードと略称する）に対応して、商品名及び単価等の商品データがプリセットされているデータファイルである。ＣＰＵ１０９は、商品コードがＰＯＳ端末１に入力されると、ＨＤＤ１１９に記憶された商品データファイルを検索してその商品コードに対応する商品データを取り込み、この商品データに基づいて商品販売データについて登録処理を実行する。なお、ＨＤＤ１１９には、上述の商品データファイルの他、例えば後述する会計毎の売上データ等を記憶させても良い。
【００２０】
商品コードは、ＰＯＳ端末１を操作するキャッシャと称されるオペレータが、例えばスキャナ１８でバーコードを読み取ったり、タッチパネル１２−１又は図示しないキーボードを用いて入力したりすることで入力される。商品コードの入力方式は、本実施形態の特徴部に係るものではないので、ここでは詳細な説明を省略する。
【００２１】
タッチパネル１２−１は、例えば抵抗膜方式のタッチパネルである。タッチパネル１２−１は、ユーザが指先やタッチペンで触れる接触操作を行った位置に応じた電気信号を出力する。Ｉ／Ｏコントローラ１１１は、タッチパネル１２−１から出力される電気信号に基づいて接触位置の座標を算出してＣＰＵ１０９に通知する。
【００２２】
ＬＣＤ１２−２は、液晶ディスプレイからなる表示部であって、画像を表示するための表示面を有している。また、このＬＣＤ１２−２は、バックライト１２ｂと調光回路１２ｍとを有する。バックライト１２ｂは、液晶ディスプレイの表示面の裏面に配設され、当該表示面を裏面側から照明する。調光回路１２ｍは、ＣＰＵ１０９から受信した制御信号に基づいて、バックライト１２ｂの輝度の高低、及び点灯／消灯を制御する。調光回路１２ｍによる輝度制御は、上述のＲＯＭ１１３に記憶されているテーブルに従って行われる。
【００２３】
検出部の一例としての加速度センサ１９は、ディスプレイ１２が第１の回転位置にあるときに重力加速度を出力するようにその向きが設定された加速度センサである。ＣＰＵ１０９は、重力加速度からの加速度変化から、ディスプレイ１２の回転角度θを検出する。なお、加速度センサ１９の出力は、Ｉ/Ｏコントローラ１１１を介してＣＰＵ１０９に通知される。
【００２４】
商品販売における本実施形態に係るＰＯＳ端末１の動作を、図４を参照して説明する。図４は、ＰＯＳ端末１のＣＰＵ１０９によって制御される登録処理を示すフローチャートである。この登録処理は、キャッシャが、ＰＯＳ端末１の例えばタッチパネル１２−１を操作して商品登録業務を選択すると開始される。
【００２５】
Ｓ１において、ＣＰＵ１０９は、加速度センサ１９の出力から、ディスプレイ１２の回転角度θを検出する。そして、Ｓ２において、ＣＰＵ１０９は、ディスプレイ１２の回転角度θが変化したか否か（即ち加速度が変化したか否か）を判定する。Ｓ２において、ディスプレイ１２の回転角度θが変化していない（ＮＯ）と判定した場合に、ＣＰＵ１０９は、処理をＳ６に移行させる。
【００２６】
また、Ｓ２において、ディスプレイ１２の回転角度θが変化した（ＹＥＳ）と判定した場合に、Ｓ３において、ＣＰＵ１０９は、ディスプレイ１２の回転角度θが客側に近い回転角度、即ち第２の回転位置に近い回転角度であるか否かを判定する。第２の回転位置に近い回転角度であるか否かの判定は、例えば回転角度θが所定の閾値を超えているか否かを判定することによって行う。
【００２７】
Ｓ３において、ディスプレイ１２の回転角度θが客側に近い回転角度である（ＹＥＳ）と判定した場合に、Ｓ４において、ＣＰＵ１０９は、バックライト１２ｂの輝度を制御するように調光回路１２ｍに指示を出力する。上述したように、ＲＯＭ１１３には、ディスプレイ１２の回転角度θとディスプレイ１２の表示面の輝度（バックライト１２ｂの輝度）とを対応付けたテーブルが記憶されている。ＣＰＵ１０９は、ＲＯＭ１１３からこのテーブルを読み出し、回転角度θに応じて最適に設定された輝度の指示値を調光回路１２ｍに出力する。本実施形態では、ディスプレイ１２の回転角度θがオペレータ側に近い回転角度である場合の輝度よりも、ディスプレイ１２の回転角度θが客側に近い回転角度である場合の輝度のほうが相対的に高くなるように、回転角度θと輝度との対応付けがなされている。したがって、Ｓ４においては、調光回路１２ｍによって、バックライト１２ｂの輝度が相対的には高くなる。実際には、バックライト１２ｂの輝度を相対的に高くしつつ、回転角度θに応じた最適な輝度でバックライト１２ｂを点灯させることが好ましい。
【００２８】
また、ディスプレイ１２の位置が第１の回転位置から第２の回転位置に切り替わる際、ディスプレイ１２の表示面にそれまで表示されていた画像は、その上下が逆転することになる。このため、回転角度θが変化したと判定した場合には、ディスプレイ１２に表示中の画像の上下を逆転させるようにすることが好ましい。
【００２９】
Ｓ３において、ディスプレイ１２の回転角度θが客側に近い回転角度でない（ＮＯ）と判定した場合に、Ｓ５において、ＣＰＵ１０９は、バックライト１２ｂの輝度を制御するように調光回路１２ｍに指示を出力する。上述したように、本実施形態では、ディスプレイ１２の回転角度θがオペレータ側に近い回転角度である場合の輝度よりも、ディスプレイ１２の回転角度θが客側に近い回転角度である場合の輝度のほうが相対的に高くなるように、回転角度θと輝度との対応付けがなされている。したがって、Ｓ５においては、調光回路１２ｍによって、バックライト１２ｂの輝度が相対的には低くなる。実際には、バックライト１２ｂの輝度を相対的に低くしつつ、回転角度θに応じた最適な輝度でバックライト１２ｂを点灯させることが好ましい。
【００３０】
Ｓ４又はＳ５の後、ＣＰＵ１０９は、処理をＳ６に移行させる。Ｓ６において、ＣＰＵ１０９は、入力がなされたか否かを判定する。ここで入力とは、例えば、キャッシャによってタッチパネル１２−１又はスキャナ１８が操作されたこと等を意味する。Ｓ６において、入力がなされていない（ＮＯ）と判定した場合、即ちキャッシャがＰＯＳ端末１を操作していない場合、ＣＰＵ１０９は、処理をＳ１に戻す。即ち、入力がなされるまでは、回転角度θに応じたディスプレイ１２の表示面の輝度制御が繰り返される。
【００３１】
Ｓ６において、入力がなされた（ＹＥＳ）と判定した場合、Ｓ７において、ＣＰＵ１０９は、商品コードが入力されたか否かを判定する。Ｓ７において、商品コードが入力されていない（ＮＯ）と判定した場合に、ＣＰＵ１０９は、処理をＳ７に戻す。即ち、商品コードが入力されるまで、処理は待機状態となる。
【００３２】
Ｓ７において、商品コードが入力された（ＹＥＳ）と判定した場合、Ｓ８において、ＣＰＵ１０９は、入力された商品コードについて、ＨＤＤ１１９に記憶された商品データファイルを検索し、当該商品コードに対応して記憶されている商品名、単価等の商品情報を検出して取り込む。Ｓ９において、ＣＰＵ１０９は、Ｓ８において取得した商品情報と例えばタッチパネル１２−１を用いてキャッシャにより入力された販売点数とに基づいて、商品販売データを生成し、ＲＡＭ１１５の取引メモリに登録する。ここで、商品販売データは、例えば、販売商品の商品コード、販売点数、及び販売金額（単価×販売点数）を少なくとも含む。Ｓ１０においてＣＰＵ１０９は、ディスプレイ１２及び客用ディスプレイ１７に、Ｓ９で登録した商品販売データを表示させる。
【００３３】
Ｓ１１においてＣＰＵ１０９は、小計キーの入力がなされたか否か、すなわち“小計指示”がなされたか否かを判定する。ここで“小計指示”は、キャッシャが例えばディスプレイ１２に表示された“小計キー”を接触操作すること等によりなされる指示であり、“当該取引を締めるための指示”である。Ｓ１１において、小計キーの入力がない（ＮＯ）と判定した場合、即ち“小計指示”がなされていない場合、ＣＰＵ１０９は、処理をＳ７に戻す。このとき、ＣＰＵ１０９は、次の商品コードの入力を待つ。
【００３４】
Ｓ１１において、小計キーの入力がある（ＹＥＳ）と判定した場合、即ち“小計指示”がなされた場合、Ｓ１２において、ＣＰＵ１０９は、当該取引に係る合計金額（商品代金）を算出し、それをディスプレイ１２及び客用ディスプレイ１７に表示させる。Ｓ１３において、ＣＰＵ１０９は、“現計キー”が入力されたか否か、即ち“現計操作”がなされたか否かを判定する。ここで、“現計操作”は、キャッシャが例えばディスプレイ１２に表示された“現計キー”を接触操作すること等によりなされる操作であり、“客からの預かり金額を入力した後に決済処理するための操作”である。Ｓ１３において、“現計キー”が入力されていない（ＮＯ）と判定した場合、ＣＰＵ１０９は、処理をＳ１３に戻す。即ち、処理は、代金支払いを待つ待機状態となる。
【００３５】
Ｓ１３において、“現計キー”の入力がなされた（ＹＥＳ）と判定した場合、Ｓ１４において、ＣＰＵ１０９は、“客からの預かり金額”から“当該取引に係る合計金額（商品代金）”を差し引いて“釣り銭額”を算出し、ディスプレイ１２及び客用ディスプレイ１７に表示させる。Ｓ１５において、ＣＰＵ１０９は、プリンタ１２１にレシートを印字させるためのレシート印字コマンドを送信する。その結果、プリンタ１２１は、当該取引の詳細情報を記載したレシートの印字を開始する。
【００３６】
Ｓ１６においてＣＰＵ１０９は、ドロワ１６に対して、ドロワ開放コマンドを送信する。キャッシャは、開放されたドロワ１６に“預かり金”を収容するとともに“釣り銭”を取り出す。Ｓ１７において、ＣＰＵ１０９は、当該取引の詳細情報を示す売上データを、通信Ｉ／Ｆ１１７を介して図示しないホストサーバに送信する。
【００３７】
Ｓ１８において、ＣＰＵ１０９は、プリンタ１２１からレシートの印字を終了した旨の信号が入力されたか否かを判定する。Ｓ１８において、印字終了の入力がない（ＮＯ）と判定した場合に、ＣＰＵ１０９は、処理をＳ１８に戻す。即ち、印字終了まで処理は待機状態となる。
【００３８】
Ｓ１８において、印字終了の入力がある（ＹＥＳ）と判定した場合、Ｓ１９において、ＣＰＵ１０９は、本登録処理の終了の指示が入力されたか否かを判定する。Ｓ１９において、終了の指示が入力されていない（ＮＯ）と判定した場合、ＣＰＵ１０９は、処理をＳ１に戻す。この場合、例えばキャッシャによる次の客の対応まで、処理はＳ１で待機状態となる。Ｓ１９において、終了の指示が入力された（ＹＥＳ）と判定した場合、ＣＰＵ１０９は、処理を終了させる。
【００３９】
以上説明したように、本実施形態によれば、ディスプレイ１２がオペレータ側である第１の回転位置にあるときの表示面の輝度を相対的に低くすることにより、省電力化を図ることが可能である。一方、ディスプレイ１２が客側である第１の回転位置以外の回転位置（例では第２の回転位置）にあるときの表示面の輝度を相対的に高くすることにより、明るく鮮明な表示を行うことが可能である。このように、本実施形態によれば、省電力化を図りつつ、ディスプレイ１２の回転角度に応じた最適な輝度での表示を行うことが可能である。このため、ＰＯＳ端末１がバッテリ駆動された場合のさらなる長時間の駆動が可能となる。
【００４０】
ここで、本実施形態では、検出部の一例として加速度センサを示したが、検出部として角速度センサを用いるようにしても良い。この他、ヒンジ１０ａの回転量を、エンコーダ等を用いて検出するようにしても良い。
【００４１】
また、本実施形態では、表示部の一例として液晶ディスプレイ（ＬＣＤ）を示したが、有機ＥＬディスプレイ等の表示面の輝度を変更できる各種のディスプレイを表示部として用いることが可能である。
【００４２】
なお、前記実施形態は、装置内部のプログラム記憶部であるＲＯＭ１１３に発明の機能を実現させる制御プログラムが予め記録されているものとした。しかしこれに限らず、同様のプログラムがネットワークから装置にダウンロードされても良い。あるいは、記録媒体に記録された同様のプログラムが、装置にインストールされても良い。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであっても良い。
【００４３】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
１…ＰＯＳ端末、１０…本体、１２…ディスプレイ、１２−１…タッチパネル、１２−２…ＬＣＤ、１２ｂ…バックライト、１２ｍ…調光回路、１６…ドロワ、１７…客用ディスプレイ、１７…客用ディスプレイ、１８…スキャナ、１９…加速度センサ、１０１…電源回路、１０３…充放電回路、１０５…バッテリ、１０７…電源スイッチ、１０９…ＣＰＵ、１０９ｃ…クロック発振器、１１１…Ｉ／Ｏコントローラ、１１３…ＲＯＭ、１１５…ＲＡＭ、１１９…ＨＤＤ、１２１…プリンタ
【図１】
0005473162.tif 000002
【図２】
0005473162.tif 000003
【図３】
0005473162.tif 000004
【図４】
0005473162.tif 000005